(57)【特許請求の範囲】
【請求項１】
外箱部と、
前記外箱部の内部に配される内箱部と、を備えるパッケージであって、
前記内箱部は、前端部および後端部を有し、前記外箱部に対し、該内箱部が該外箱部の中に隠れる第１の位置と、前記内箱部の前記前端部が前記外箱部の中から移動してユーザーが開口部を通じて該内箱部の中身に到達できる第２の位置との間で可動であり、
前記内箱部は、少なくとも二つの前後主面とこれらを横方向に連結する二つの対向する側面とを有し、少なくとも一つの底面によって底部が閉じられた筐体を形成して成り、
且つ該内箱部は、前記前後主面の少なくとも一つと連結された補強部材を備え、前記補強部材は、少なくとも該内箱部の中身にユーザーが最初に到達した後の該内箱部の角部の変形に抗する如く配置されている、パッケージ。
【請求項２】
前記内箱部は、前記開口部の少なくとも一部の上に配される取外し可能な閉塞部品を備える、請求項１に記載のパッケージ。
【請求項３】
前記補強部材は、前記開口部の少なくとも一つの縁上に延在する、請求項１又は２に記載のパッケージ。
【請求項４】
前記補強部材は、一つの角部を形成する前記内箱部の少なくとも隣接する二面に亘って延在する、請求項１から３のいずれか一項に記載のパッケージ。
【請求項５】
前記補強部材は、更に二つの対向面の間に延在する、請求項１から４のいずれか一項に記載のパッケージ。
【請求項６】
前記開口部は開口しており、かつ前後各主面の各上端と前記補強部材の端縁とによって規定される、請求項１から５のいずれか一項に記載のパッケージ。
【請求項７】
前記内箱部は、前記前後主面の少なくとも各端縁に取り付けられた少なくとも一つの上面を更に有し、該上面の少なくとも一部がミシン目に沿って切り取られることにより上記開口部と上記補強部材とが形成される、請求項１から５のいずれか一項に記載パッケージ。
【請求項８】
前記内箱部は丸みを帯びた角部を有する、請求項７に記載のパッケージ。
【請求項９】
係止具と係合部とを有する少なくとも一つの係止機構を更に備え、
上記係止具は前記内箱部から横方向に突出し、前記係合部は該内箱部に対面した前記外箱部の内表面から横方向に突出し、該係止具と該係合部とは、前記第１の位置と前記第２の位置との間で互いに係合する、請求項１から８のいずれか一項に記載のパッケージ。
【請求項１０】
前記係止具と前記係合部との係合により、前記内箱部の開閉を知覚させる音が発生する、請求項９に記載のパッケージ。
【請求項１１】
音は前記係止具が前記係合部から弾性的に解放される際に発生する、請求項１０に記載のパッケージ。
【請求項１２】
前記内箱部と前記外箱部との対向面に設けられた第１の拘束具と第２の拘束具とを有する拘束機構を更に備え、該第１及び第２の拘束具の係合により、該外箱部に対する該内箱部の移動が規制される、請求項９から１１のいずれか一項に記載のパッケージ。
【請求項１３】
請求項１から１２のいずれか一項に記載のパッケージの内箱部を形成するためのブランク材であって、
−前主面と後主面とを形成するための２枚の主パネルと、
−側面を形成するための２枚の側面パネルと、
−少なくとも一つの底面を形成するための少なくとも１枚の底面パネルと、
−前記主パネル又は側面パネルのいずれかの上端と関節で接合され、前記底面パネルと対向する少なくとも１枚の上面パネルであって、該ブランク材を成形して前記内箱部としたときに少なくとも他方の主パネルに取り付けられて前記内箱部の前端部において前記補強部材を形成する如く構成された上面パネルと、
を少なくとも有するブランク材。
【請求項１４】
前記上面パネルは、該ブランク材を折り畳んで内箱部を成形したときに前記上面パネルの少なくとも一部を除去することにより前記開口部と前記補強部材とが形成可能なミシン目を有する、請求項１３に記載のブランク材。
【発明の詳細な説明】
【技術分野】
【０００１】
本発明は広くパッケージ分野に関し、特にタバコ製品用のパッケージに関する。より具体的には、本発明は新しいタイプのシガレット・パッケージ、及びかかるパッケージの作製に用いられるブランク材に関する。
【背景技術】
【０００２】
パッケージの人間工学的且つ実用的なデザインに関する改良が絶えず求められている。かかる要望が強い分野の一つに、シガレット・パッケージ等のタバコ製品用パッケージの提供が挙げられる。
【０００３】
シガレット・パッケージは難しい要求に幅広く応えなければならない。特に、かかるパッケージは安価で大量作製が可能であるのみならず、シガレットを安全に保管しその鮮度を保つと共に、パッケージの開閉を多数回繰り返しても自身の原形を保たねばならない。
【０００４】
今日、シガレット・パッケージの最も多いデザインはヒンジ開閉式の蓋を持つものであろう。このデザインでは、厚紙パックの上端にヒンジ開閉式の蓋が一体形成されている。シガレットは縦方向に収容されており、ユーザーは蓋を開け、シガレットの端をつまんで取り出すことができる。
【０００５】
近年では別の構造を持つパックも提案されている。例えば、スライド開閉式又はスイング開閉式の機構を備えたシガレット・パッケージが提案されている。かかるアプローチでは、シガレットを収容する内箱部が外箱部の内部に配される。閉位置では、内箱部の開口が外箱部に覆われているが、収容されたシガレットを取り出すために、この内箱部は外箱部に対して開位置へと移動させることができる。
【０００６】
スライド式の場合、内箱部は外箱部に対して直線的に移動するが、スイング式の場合、内箱部は外箱部に対し少なくとも回転を含む動きによって移動する。
【０００７】
しかしながら、これらの構成においては、ユーザーがパッケージの中身を取り出せる様に、内箱部に比較的大きな開口部が設けられている場合が多い。このことにより、内箱部の剛性が低下し、中身を全て使い切る前にパックが潰れたり、変形したり、さらには破れてしまう虞がある。これは、特に内箱部の辺に丸みが付けられている場合に多くみられる。こうした辺は往々にして剛性が低いからである。更に、この開口部に起因する内箱部の剛性の不足は、外箱部の内部における内箱部の保持や、該内箱部と外箱部との間の接合部分の高信頼動作に関する問題を招く。これらの構成においては、あるいは他の構成においても、パッケージが不意に開かない様、内箱部と外箱部との相対的な移動に関して何らかの制御を行うことが依然として求められている。
【発明の概要】
【０００８】
本発明の第１の見地によれば、外箱部と、前記外箱部の内部に配される内箱部と、を備えるパッケージであって、上記内箱部は上記外箱部に対し、該内箱部が該外箱部の中に隠れる第１の位置と、ユーザーが開口部を通じて該内箱部の中身に到達できる第２の位置との間で可動であり、且つ該内箱部は、少なくとも該内箱部の中身にユーザーが最初に到達した後の該内箱部の角部の変形に抗する如く配置された補強部材を更に備える、パッケージが提供される。
【０００９】
本発明によれば、内箱部のための補強部材を設けることにより、該内箱部の中身の取り出しやすさを有意に損なうことなく、該内箱部の剛性を高めることができる。これによりパックの寿命を延長することができ、また、保持部品又は係止部品等、他のあらゆる部品についてもこれらの互いの係合状態を改善して適切な動作を確保することにより、パックの使用期間全体を通じてこれらの動作を改善することができる。
【００１０】
上記内箱部はその上面に該内箱部の中の製品を取出し可能とする開口部を少なくとも一つ備えており、この開口部は内箱部が第１の位置にある時は外箱部に隠れる。つまり、この第１の位置は製品を取り出すことができない閉位置である。第２の位置、即ち開位置では、外箱部は開口部を隠さない。開口部は、内箱部の中身を取り出したい面のいずれにも設けることができる。
【００１１】
内箱部は、開口部の少なくとも一部の上に配される取外し可能な閉塞部品を備えることが好ましい。かかる取外し可能な閉塞部品は、鮮度保持、及び／又は、ユーザーが内箱部の中身を最初に取り出すまでの未開封状態を保証する手段として有効に働く。
【００１２】
上記補強部材は、開口部の少なくとも一つの縁上に延在することが好ましく、更に内箱部の周囲の少なくとも一つの面に達するまで延在してもよい。かかる構成により、ユーザーにとって内箱部の中身が取り出し易くなると共に、内箱部の剛性が保たれる。
【００１３】
上記補強部材は、一つの角部を形成する内箱部の隣接する少なくとも二面の間に延在することが好ましい。また、補強部材は二つの対向面の間に延在することが更に好ましい。
【００１４】
好ましい一例において、上記内箱部は二つの対向する側面で横方向に連結される少なくとも二つの前後主面を有し、少なくとも一つの底面によって底部が閉じられた筐体を形成して成り、上記開口部は前後各主面の各上端と上記補強部材の端縁とによって規定される。
【００１５】
内箱部は、前後主面の少なくとも各端縁に取り付けられた少なくとも一つの上面を更に有し、該上面の少なくとも一部がそこからミシン目に沿って切り取られることにより上記開口部と上記補強部材とが形成されることが好ましい。
【００１６】
好ましい態様において、上記内箱部は丸みを帯びた角部を有する。
【００１７】
本発明のパッケージは、係止具と係合部とを有する少なくとも一つの係止機構を更に備え、上記係止具は上記内箱部から横方向に突出し、上記係合部は該内箱部に対面した上記外箱部の内表面から横方向に突出し、該係止具と該係合部とは、上記第１の位置と上記第２の位置との間で互いに係合することが好ましい。
【００１８】
好ましくは、上記係止具と上記係合部との係合により音が発生し、上記内箱部の開閉を知覚させる。内箱部の開閉に伴って発生するこの様な音は、ユーザーに有益である。この音は、係止具が係合部から弾性的に解放される際に発生する。
【００１９】
好ましい態様において、本発明のパッケージは上記内箱部と上記外箱部との対向面に設けられた第１の拘束具と第２の拘束具とを有する拘束機構を更に備え、該第１及び第２の拘束具の係合により、該外箱部に対する該内箱部の移動が規制される。
【００２０】
上記内箱部の第１の位置から第２の位置への移動は、直線運動を含んでよい。これに代わり、又はこれに加え、上記内箱部の第１の位置から第２の位置への移動は、回転運動を含んでよい。
【００２１】
好ましい態様において、上記内箱部と上記外箱部とはそれぞれ１枚の折り畳み可能な紙、板紙、プラスチック材料又はこれらの組み合わせで作成されたブランク材から得られる。実際、本発明は、上記内箱部及び上記外箱部の作製に用いられるブランク材を包含する。更に、本発明はかかるブランク材から上記内箱部又は上記外箱部を形成することを包含する。
【００２２】
好ましくは、上記内箱部を形成するためのブランク材は、少なくとも
−上記前主面と上記後主面とを形成するための２枚の主パネルと、
−上記側面を形成するための２枚の側面パネルと、
−少なくとも一つの底面を形成するための少なくとも１枚の底面パネルと、
−上記主パネル又は側面パネルのいずれかの上端と関節で接合され、上記底面パネルと対向する少なくとも１枚の上面パネルであって、該ブランク材を成形して上記内箱部としたときに少なくとも他方の主パネルに取り付けられて上記補強部材を形成する如く構成された上面パネルと、を有する。
【００２３】
好ましくは、かかるブランク材の上面パネルは、該ブランク材を折り畳んで内箱部を成形したときに上記上面パネルの少なくとも一部を除去することにより上記開口部と上記補強部材とが形成可能なミシン目を有する。このミシン目は特に、内箱部の開口部の為の除去可能な閉鎖要素の各端縁を規定するものであってよい。
【図面の簡単な説明】
【００２４】
以下、本発明の好ましい態様を、専ら添付図面を参照しながら具体例に基づいて説明する。
【図１】図１Ａは閉位置における本発明の第１の好ましい態様を示し、図１Ｂは開位置における該第１の好ましい態様を示す。
【図２】図２Ａは上記第１の好ましい態様にかかる内箱部の作製に用いられるブランク材を示し、図２Ｂは該第１の好ましい態様にかかる外箱部の作製に用いられるブランク材を示す。
【図３】図３Ａは閉位置における本発明の第２の好ましい態様を示し、図３Ｂは開位置における該第２の好ましい態様を示す。
【図４】図４Ａは上記第２の好ましい態様にかかる内箱部の作製に用いられるブランク材を示し、図４Ｂは該第２の好ましい態様にかかる外箱部の作製に用いられるブランク材を示す。
【発明を実施するための形態】
【００２５】
本発明のパッケージ１の第１の好ましい態様を、図１Ａ及び１Ｂを参照しながら説明する。このパッケージは、外箱部１００と内箱部１５０とを備える。内箱部１５０は外箱部に対して可動であり、特に、図１Ａに示す第１の位置、即ち閉位置と、図１Ｂに示す第２の位置、即ち開位置との間でスライド可能である。
【００２６】
ユーザーは、外箱部１００の開口部１１１内に露出する内箱部１５０の部分を親指又は他の指で押すことにより、内箱部１５０をスライドさせることができる。図１Ｂに示す如く、内箱部１５０は開封帯１５２を有し、これを取り除けば内箱部１５０に開口部が形成され、シガレット１７０が現れる。この除去可能な開封帯１５２の隣には、内箱部１５０の内部で開口部付近を通過する補強部材１５４が設けられている。この補強部材１５４は、内箱部１５０に剛性を与えてその強度を増す役割を果たし、特に内箱部が、図示される如く丸みを帯びた角部を有することにより、角張った箱に於けるよりも内箱部の端部や上角部が潰れやすい場合に有効である。この補強部材は、内部に形成される他の部品、例えば、外箱部上の対応する係止部分と係合しパッケージに係止機能を与える何らかの係止手段、が正常に動作し、且つ内箱部１５０の前面や後面１５１ａ，１５１ｂが潰れても係合が外れないように保つ上でも重要である。
【００２７】
外箱部１００と内箱部１５０とは、パックが閉位置又は開位置のいずれかに到達した時に可聴音を発する様式で互いに連結する。また、開位置及び閉位置に内箱部を保持するために、ある程度の抵抗力が付与されている。この様にして、内箱部１５０に対する外箱部１００の不意な動きが阻止される。これらの効果が奏される仕組みを図２Ａ及び２Ｂに示し、以下に詳細を説明する。
【００２８】
図２Ｂは外箱部１００を示す。この外箱部は、図２Ｂに示す板紙のブランク材を折り曲げて形成される。
【００２９】
外箱部１００は、該外箱部１００が成形された状態で互いに対面する前面１０１ａと後面１０１ｂとを有する。前面１０１ａと後面１０１ｂとは側面１０５で連結されている。開口部１１１は側面１０５に形成されている。
【００３０】
外箱部１００の上面はフロント側上面部１０２ａと、リヤ側上面部１０２ｂと、側方上面部１０２ｃとで構成されている。外箱部１００を成形する際は、リヤ側上面部１０２ｂと側方上面部１０２ｃとをフロント側上面部１０２ａの下側に糊付けする。同様に、外箱部の底面は前方底面部１０３ａと、後方底面部１０３ｂと側方底面部１０３ｃとで構成されている。外箱部を成形する際は、後方底面部１０３ｂと側方底面部１０３ｃとを前方底面部１０３ａの上側に糊付けする。
【００３１】
外箱部１００は更に、前面１０１ａと後面１０１ｂとから各々延在する前方規制フラップ１０７ａと後方規制フラップ１０７ｂとを有する。外箱部を成形する際は、前方規制フラップ１０７ａと後方規制フラップ１０７ｂとを内側に折り曲げる。係合片の下方に配置されたこれら規制フラップ１０７ａ，１０７ｂは、外箱部の前後面１０１ａ，１０１ｂに糊付けされていることが好ましい。但し、糊は規制フラップ１０７ａ，１０７ｂの全面にベタ塗りはせず、規制フラップ１０７ａ，１０７ｂと各面１０１ａ，１０１ｂとの間に部材を挿入可能に隙間が出来るように設けることが好ましい。
【００３２】
図２Ａは内箱部１５０を示す。この内箱部１５０は、図２Ａに示す板紙のブランク材を折り曲げて形成される。
【００３３】
内箱部１５０は、該内箱部１５０が成形された状態で互いに対面する前面１５１ａと後面１５１ｂとを有する。前面１５１ａと後面１５１ｂとは底面１５６で連結されている。第１の側面はフロント側第１サイドフラップ１５４ａとリヤ側第１サイドフラップ１５４ｂとから成り、一方第２の側面はフロント側第２サイドフラップ１５５ａとリヤ側第２サイドフラップ１５５ｂとから成る。各リヤ側サイドフラップ１５４ｂ，１５５ｂは各フロント側サイドフラップ１５４ａ，１５５ａの内側に糊付けされ、内箱部１５０のフロント側及びリヤ側の各側面を形成する。
【００３４】
各底面フラップ１５７は第１及び第２リヤ側サイドフラップ１５４ｂ，１５５ｂにそれぞれ連結されている。内箱部１５０を形成する際、これら底面フラップは底面１５６の上面に糊付けされる。
【００３５】
内箱部の上面は、リヤ側上面フラップ１５３ｂと、フロント側上面フラップ１５３ａと、リヤ側開封帯フラップ１５２ｂと、フロント側開封帯フラップ１５２ａとから成る。フロント側及びリヤ側上面フラップ１５２ａ，１５２ｂは糊付けにより一体化され、内箱部１５０の上面の存置部分を形成する。フロント側及びリヤ側開封帯フラップ１５２ａ，１５２ｂは糊付けにより一体化され、図１Ｂに示す開封帯１５２を形成する。フロント側及びリヤ側開封帯フラップは、内箱部１５０の残部にミシン目を介して繋がっており、ユーザーが随時に開封帯１５２を切り取れるようになっている。開封帯１５２が切り取られた後は補強部材１５４が残り、上述のように内箱部の剛性を確保する。
【００３６】
内箱部は、フロント側規制タブ１５９ａとリヤ側規制タブ１５９ｂとを備える。これら規制タブ１５９ａ，１５９ｂは、それぞれ前面１５１ａ及び後面１５１ｂの切欠部１５８ａ，１５８ｂの中に設けられている。ここで、フロント側規制タブ１５９ａは前面１５１ａの下部に設けられており、一方リヤ側規制タブ１５９ｂは後面１５１ｂの上部に設けられている。より一般的には、フロント側規制タブ１５９ａとリヤ側規制タブ１５９ｂとは、前面と後面１５１ａ，１５１ｂの異なる領域に設けられていることが好ましく、特に、底面１５６とこれに対向する前面及び後面１５１ａ，１５１ｂの端部との間で、該前面と後面１５１ａ，１５１ｂの中心から逆方向に偏倚していることが好ましい。
【００３７】
このパッケージ１の動作は、外箱部１００に対する内箱部１５０の位置を示す図１Ａ及び１Ｂを参照して理解される。
【００３８】
図１Ａは外箱部１００に対して内箱部１５０が閉位置にある状態を示す。
【００３９】
内箱部１５０は外箱部１００に対し、図１Ｂに示すような開位置へと移動する。
【００４０】
各規制タブ１５９ａ，１５９ｂが各規制フラップ１０７ａ，１０７ｂに係合することにより、内箱部１５０が外箱部１００に対して開き過ぎることが防止される。特に、各規制タブ１５９ａ，１５９ｂはそれぞれ、各規制フラップ１０７ａ，１０７ｂと、外箱部１００の前面及び後面１０１ａ，１０１ｂとの間に受容される。したがって、規制フラップ１０７ａ，１０７ｂの前端部が規制タブ１５９ａ，１５９ｂの基部へ係合すると、内箱部１５０は外箱部１００に対してそれ以上移動することはできない。
【００４１】
本発明の第２の好ましい態様にかかるパッケージを図３Ａ及び３Ｂに示す。前記第１の態様と同様、第２の態様にかかるパッケージも、それぞれ角に丸みを帯びた内箱部２５０と外箱部２００とを備えている。内箱部２５０は外箱部２００に対して可動であり、特に図３Ａに示す閉位置と図３Ｂに示す開位置との間で回動可能である。
【００４２】
ユーザーは、外箱部２００の開口部２１１内に露出する内箱部２５０の部分を親指又は他の指で押すことにより、内箱部２５０を回動させることができる。図３Ｂでは図示省略しているが、外箱部が開位置にある時、内箱部２５０内に保持されたシガレットをユーザーが取り出すことができる。
【００４３】
図４Ｂは外箱部２００を示す。この外箱部は、図４Ｂに示す板紙のブランク材を折り曲げて形成される。
【００４４】
外箱部２００は、該外箱部２００が成形された状態で互いに対面する前面２０１ａと後面２０１ｂとを備えている。前面２０１ａと後面２０１ｂとは、側面２０５で連結されている。開口部２１１は側面２０５に形成されている。更に、フロント側補強フラップ２０６ａとリヤ側補強フラップ２０６ｂとが、開口部３１１のフロント側及びリヤ側に向かってそれぞれ形成されている。外箱部２００を形成する際は、補強フラップ２０５ａ，２０５ｂを内側へ折り畳み、外箱部２００の前面及び後面２０１ａ，２０１ｂの内側に糊付けする。
【００４５】
外箱部の上面は、フロント側上面部２０２ａと、リヤ側上面部２０２ｂと、側方上面部２０２ｃとから形成される。外箱部２００を形成する際は、リヤ側上面部２０２ｂと側方上面部２０２ｃとをフロント側上面部２０２ａの下側に糊付けする。同様に、外箱部２００の底面は、前方底面部２０３ａと、後方底面部２０３ｂと、側方底面部２０３ｃとから形成される。外箱部２００を形成する際は、後方底面部２０３ｂと側方底面部２０３ｃとを前方底面部２０３ａの上側に糊付けする。
【００４６】
各底面部２０３ａ，２０３ｂ，２０３ｃによって形成される底面は、外箱部２００が形成された状態でその底面の全域に亘ってはいない。外箱部は更に連結フラップ２０４を備え、これは底面部２０３ｂに対して折曲可能に連結されている。底面部２０３ｂとは異なり、この連結フラップは後面２０１ｂとは分離している。この結果、外箱部２００が形成された時点で、連結フラップ２０４は外箱部２００の残部に対して回動可能である。以下に更に述べるように、内箱部２５０は連結フラップ２０４上に実装される。
【００４７】
外箱部２００は更に、前方規制フラップ２０７ａと後方規制フラップ２０７ｂとを備える。
【００４８】
外箱部を形成する際は、前方規制フラップ２０７ａと後方規制フラップ２０７ｂとを内側に折り畳む。
【００４９】
各規制フラップ２０７ａ，２０７ｂは、外箱部の前面および後面２０１ａ，２０１ｂに糊付けされることが好ましい。但し、糊は規制フラップ２０７ａ，２０７ｂの全面にベタ塗りはせず、規制フラップ２０７ａ，２０７ｂの規制部２１０ａ，２１０ｂと各面１０１ａ，１０１ｂとの間に部材を挿入可能に隙間が出来る様に設けることが好ましい。
【００５０】
図４Ａは第２の態様にかかる内箱部２５０を示す。この内箱部２５０は、図４Ａに示す板紙のブランク材を折り曲げて形成される。
【００５１】
内箱部２５０は、該内箱部２５０が成形された状態で互いに対面する前面２５１ａと後面２５１ｂとを有する。前面２５１ａと後面２５１ｂとは底面２５６で連結されている。第１の側面はフロント側第１サイドフラップ２５４ａとリヤ側第１サイドフラップ２５４ｂとから成り、一方第２の側面はフロント側第２サイドフラップ２５５ａとリヤ側第２サイドフラップ２５５ｂとから成る。各リヤ側サイドフラップ２５４ｂ，２５５ｂは各フロント側サイドフラップ２５４ａ，２５５ａに内側に糊付けされ、内箱部２５０のフロント側及びリヤ側の各側面を形成する。
【００５２】
各底面フラップ２５７は第１及び第２リヤ側サイドフラップ２５４ｂ，２５５ｂにそれぞれ連結されている。内箱部２５０を形成する際、これら底面フラップは底面２５６の上面に糊付けされる。
【００５３】
内箱部２５０は、フロント側フラップ２５３ａとリヤ側フラップ２５３ｂとから成る上面を有し、各フラップは前面と後面２５１ａ，２５３ｂの上端部にそれぞれ接続されている。各フラップ２５３ａ，２５３ｂは互いに糊付けされて、内箱部の上面を形成する。内箱部２５０は、上面と後面及び側面２５１ａ，２５１ｂとにおいてミシン目で区画される除去部２５２と、内箱部の前端部における少なくとも１つの補強部材２５４とを有する。この補強部材２５４は、内箱部のフロント側領域、及び特に丸みを帯びた角部を補強する上で極めて有利である。この除去部２５２は、最初の開封時にミシン目に沿って切り取るだけで取り除くことができ、これによって上部に開口部を形成し、内箱部２５０の中身を取り出せる様になる。
【００５４】
更に、内箱部はフロント側規制タブ２５９ａとリヤ側規制タブ２６１ｂとを備える。これら規制タブ２５９ａ，２６１ｂは、前面２５１ａ及び後面２５１ｂの切欠部２５８ａ，２６０ｂの中にそれぞれ設けられている。
【００５５】
このパッケージの動作は、外箱部２００に対する内箱部２５０の位置を示す図３Ａ及び３Ｂ、即ち、閉位置を示す図３Ａと開位置を示す図３Ｂとを参照して理解される。
【００５６】
図３Ａは、内箱部２５０が外箱部２００に対して閉位置にある状態を示す。
【００５７】
ユーザーは、図３Ａに示される閉位置から内箱部を動かす。内箱部２５０は外箱部２００に対して開位置へと移動する。
【００５８】
内箱部２５０が外箱部２００に対して開き過ぎることは、フロント側規制タブ２５９ａが規制フラップ２０７ａと係合し、且つリヤ側規制タブ２６１ｂが規制フラップ２０７ｂと係合することにより防止される。この結果、これら規制タブ２５９ａ，２６１ｂの係合により、内箱部２５０が開位置を超えて移動することが防止される。
【００５９】
以上、本発明の２つの好ましい態様を説明してきたが、他の実施態様も可能であることが理解されよう。特に、上で説明し、図１〜４に示した上記２つの態様は、内箱部の係止機構を外箱部に設けたものであってもよい。かかる係止機構は、例えば内箱部と外箱部との対向面にそれぞれ設けられた係止具と係合部とから成るものであってもよい。好ましい係止機構の一例は、内箱部から横方向に突出する少なくとも一つの係止具と、該内箱部に対面する外箱部の内面から横方向に突出する少なくとも一つの係合部とを含んでよく、該係止具と該係合部とは、第１の位置と第２の位置との間で互いに係合する。
【００６０】
上記係止具と上記係合部との係合により音が発生して内箱部の開閉を知覚させることが好ましい。この音は、係合部から係止具が弾性的に解放されることで発生する。
【００６１】
更に、当業者であればこのパッケージの詳細な態様に関する形状や配置を修正又は変更することができる。特に、内箱部及び外箱部上における補強部材と係合部との各位置は、当業者であれば、本発明のパッケージの機能的挙動に悪影響を及ぼすことなく容易に修正又は入れ替えることができる。その他の変更例や修正例も、当業者にとって自明であろう。これら変更例や修正例は、公知の同等な特徴や他の特徴を含んでよく、ここで述べた特徴に代えて、あるいはそれらに加えて用いることができる。別々の態様に関連して述べた各特徴は、一つの態様にまとめてもよい。逆に、一つの態様に関連して述べた各特徴を分割して用いたり、一部を適当に組み合わせて用いてもよい。
【図１Ａ】
0006426158.tif 000002
【図１Ｂ】
0006426158.tif 000003
【図２Ａ】
0006426158.tif 000004
【図２Ｂ】
0006426158.tif 000005
【図３Ａ】
0006426158.tif 000006
【図３Ｂ】
0006426158.tif 000007
【図４Ａ】
0006426158.tif 000008
【図４Ｂ】
0006426158.tif 000009